【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
ＣＡＤ上で機構部品の公差・ガタの検討を行う設計支援装置であって、
機構部品を構成する構成部品を表わすデータを入力する第１の入力手段と、
前記構成部品の取り付け位置を入力する第２の入力手段と、
前記構成部品の取り付け位置に設定する公差値を入力する第３の入力手段と、
前記構成部品の公差の影響を調べたい注目点を入力する第４の入力手段と、
前記第１ないし第４の入力手段から入力したデータに基づき、前記注目点が他の公差からどれだけ影響を受けるかを演算する演算手段と、
前記演算手段の演算結果を表示する表示手段と
を具備することを特徴とする設計支援装置。
【請求項２】
前記演算手段は、前記第３の入力手段から入力された前記構成部品の取り付け位置における公差値の範囲で、公差値をランダムに繰り返し変化させて、前記注目点にもっとも変化を与える公差値の組み合わせを算出することを特徴とする請求項１に記載の設計支援装置。
【請求項３】
前記第３の入力手段は、
前記公差値を入力する際に該公差の刻み幅を入力する手段と、
前記取り付け位置を中心として前記刻み幅ごとに格子枠を作成する手段と、
前記格子枠の格子点をピックすることで公差値を入力する手段と
を有することを特徴とする請求項１または請求項２に記載の設計支援装置。
【請求項４】
前記格子枠を作成する手段は、
前記格子枠を作成する際に、製品全体の座標系からみた格子枠を作成する手段と、
前記格子枠を作成する際に、部品ごとのローカル座標系からみた格子枠を作成する手段と、
前記格子枠を作成する際に、部品ごとの極座標系からみた格子枠を作成する手段と
を有することを特徴とする請求項３に記載の設計支援装置。
【請求項５】
前記公差値を入力する手段は、
前記格子点をピックして公差値を入力するに当たり、該ピックが容易になるように、対象部品と対象格子枠以外の画像部分を表示画面上から消す手段と、
前記ピックが完了したら前記表示画面を元の画面に戻す手段と
を有することを特徴とする請求項３または４に記載の設計支援装置。
【請求項６】
前記第２の入力手段は、機構を構成している部品同士を接続している、ピンやホールといったような接続点の形状を入力し、前記第３の入力手段は、格子点をピックすることにより公差値を入力し、かつ
前記演算手段は、
前記第３の入力手段から入力された前記公差分だけ，前記第２の入力手段から入力した前記接続点の形状を自動的に移動してモデル修正を行う手段と、
前記修正されたモデルに従って機構部品を組み付け直す手段と、
組立完了後、可動部品が存在する場合に、該可動部品を動かした場合の作動軌跡を残す手段と
を有することを特徴とする請求項１ないし５のいずれかに記載の設計支援装置。
【請求項７】
ＣＡＤ上で機構部品の公差・ガタの検討を行う設計支援方法であって、
機構部品を構成する構成部品を表わすデータを入力する第１の入力ステップと、
前記構成部品の取り付け位置を入力する第２の入力ステップと、
前記構成部品の取り付け位置に設定する公差値を入力する第３の入力ステップと、
前記構成部品の公差の影響を調べたい注目点を入力する第４の入力ステップと、
前記第１ないし第４の入力ステップで入力したデータに基づき、前記注目点が他の公差からどれだけ影響を受けるかを演算する演算ステップと、
前記演算ステップの演算結果を表示する表示ステップと
を有することを特徴とする設計支援方法。
【請求項８】
前記演算ステップでは、前記第３の入力ステップで入力された前記構成部品の取り付け位置における公差値の範囲で、公差値をランダムに繰り返し変化させて、前記注目点にもっとも変化を与える公差値の組み合わせを算出することを特徴とする請求項７に記載の設計支援方法。
【請求項９】
前記第３の入力ステップは、
前記公差値を入力する際に該公差の刻み幅を入力するステップと、
前記取り付け位置を中心として前記刻み幅ごとに格子枠を作成するステップと、
前記格子枠の格子点をピックすることで公差値を入力するステップと
を有することを特徴とする請求項７または請求項８に記載の設計支援方法。
【請求項１０】
前記格子枠を作成するステップは、
前記格子枠を作成する際に、製品全体の座標系からみた格子枠を作成するステップと、
前記格子枠を作成する際に、部品ごとのローカル座標系からみた格子枠を作成するステップと、
前記格子枠を作成する際に、部品ごとの極座標系からみた格子枠を作成するステップと
を有することを特徴とする請求項９に記載の設計支援方法。
【請求項１１】
コンピュータを用いたＣＡＤ上で機構部品の公差・ガタの検討を行うための設計支援プログラムを記録した記録媒体であって、該プログラムはコンピュータに対して、
機構部品を構成する構成部品を表わすデータを入力させ、
前記構成部品の取り付け位置を入力させ、
前記構成部品の取り付け位置に設定する公差値を入力させ、
前記構成部品の公差の影響を調べたい注目点を入力させ、
前記入力したデータに基づき、前記注目点が他の公差からどれだけ影響を受けるかを演算させ、
前記演算結果を表示させることを特徴とする設計支援プログラムを記録した記録媒体。
【請求項１２】
コンピュータを用いたＣＡＤ上で機構部品の公差・ガタの検討を行う設計支援用のプログラムであって、
機構部品を構成する構成部品を表わすデータを入力する第１の入力ステップと、
前記構成部品の取り付け位置を入力する第２の入力ステップと、
前記構成部品の取り付け位置に設定する公差値を入力する第３の入力ステップと、
前記構成部品の公差の影響を調べたい注目点を入力する第４の入力ステップと、
前記第１ないし第４の入力ステップで入力したデータに基づき、前記注目点が他の公差からどれだけ影響を受けるかを演算する演算ステップと、
前記演算ステップの演算結果を表示する表示ステップと
を有することを特徴とするプログラム。
【手続補正２】
【補正対象書類名】明細書
【補正対象項目名】００１８
【補正方法】変更
【補正の内容】
【００１８】
上記目的を達成するため、請求項１１の発明は、コンピュータを用いたＣＡＤ上で機構部品の公差・ガタの検討を行うための設計支援プログラムを記録した記録媒体であって、該プログラムはコンピュータに対して、機構部品を構成する構成部品を表わすデータを入力させ、前記構成部品の取り付け位置を入力させ、前記構成部品の取り付け位置に設定する公差値を入力させ、前記構成部品の公差の影響を調べたい注目点を入力させ、前記入力したデータに基づき、前記注目点が他の公差からどれだけ影響を受けるかを演算させ、前記演算結果を表示させることを特徴とする。


【手続補正３】
【補正対象書類名】明細書
【補正対象項目名】００１９
【補正方法】変更
【補正の内容】
【００１９】
上記目的を達成するため、請求項１２の発明は、コンピュータを用いたＣＡＤ上で機構部品の公差・ガタの検討を行う設計支援用のプログラムであって、機構部品を構成する構成部品を表わすデータを入力する第１の入力ステップと、前記構成部品の取り付け位置を入力する第２の入力ステップと、前記構成部品の取り付け位置に設定する公差値を入力する第３の入力ステップと、前記構成部品の公差の影響を調べたい注目点を入力する第４の入力ステップと、前記第１ないし第４の入力ステップで入力したデータに基づき、前記注目点が他の公差からどれだけ影響を受けるかを演算する演算ステップと、前記演算ステップの演算結果を表示する表示ステップとを有することを特徴とする。